(57)【要約】      （修正有）【課題】支持具本体を相手方平滑面にぐらつきなく取り付けることが可能であり、しかも、きわめて大きな吊下げ荷重に耐え得るものでありながら、相手方平滑面に対する着脱操作性に優れ、相手方平滑面から取り外しても装着跡が相手方平滑面に残りにくい密着型支持具を提供する。【解決手段】相手方平滑面に裏面を重ね合わせることよってその平滑面に密着するシート体２に、ベース体１の裏面が固着されている。ベース体１には、異なる種類のアタッチメント３を着脱可能である。ベース体１にアタッチメント３を着脱することに用いられる着脱機構４を備える。【選択図】図１
0003160125.tif 000002
【実用新案登録請求の範囲】
【請求項１】
相手方平滑面に脱気状態で重ね合わせることよってその平滑面に密着するシート体が裏面に固着され、かつ、そのシート体が周囲に張り出しているベース体と、このベース体に装着されるアタッチメントと、上記ベース体に上記アタッチメントを着脱するための着脱機構と、を備え、
上記着脱機構が、ベース体及びアタッチメントのうちの一方側に設けられた突起と、他方側に設けられて上記突起に係脱される係合部と、を有することを特徴とする密着型支持具。
【請求項２】
上記着脱機構において、上記突起がその外周に溝形の首部を有し、上記係合部が、上記首部に嵌脱される凹入部を有する板状片でなる請求項１に記載した密着型支持具。
【請求項３】
上記着脱機構において、上記突起がその外周に溝形の首部を有し、上記係合部が、Ｕ字形に曲成されて上記首部に嵌脱可能な凹入部を有する成形線材でなる請求項１に記載した密着型支持具。
【請求項４】
上記着脱機構において、上記突起が、その外周に溝形の首部とその首部の前側の鍔形部とを有する弾力性を備えた樹脂成形体でなり、上記係合部が、上記鍔形部を弾性変形させながら上記首部に挿抜される孔部を有する板状片でなる請求項１に記載した密着型支持具。
【考案の詳細な説明】
【技術分野】
【０００１】
本考案は密着型支持具、特に、吊下げ具や皿形の置き台といった種々の用途に適するように形成されているアタッチメントを、壁面やタイル面、ガラス面などの相手方平滑面にぐらつきなく取り付けることができ、しかも、上記アタッチメントを相手方平滑面から容易に取り外すことのできる対策を講じた密着型支持具に関する。
【背景技術】
【０００２】
従来、小物などを引掛けて吊り下げることなどのために利用される支持具として、ゴムや合成樹脂などで作られた先拡がり形状の吸盤に、Ｌ字形、Ｊ字形、Ｕ字形などに形成したフックやアームなどのアタッチメントを取り付けたものが知られていた（たとえば、特許文献１、特許文献２参照）。
【先行技術文献】
【特許文献】
【０００３】
【特許文献１】特開２００５−１３５６８号公報
【特許文献２】特開２００６−３２０６８３号公報
【考案の概要】
【考案が解決しようとする課題】
【０００４】
しかしながら、上掲の各特許文献に記載されているものは、いずれも、柔軟性を有する吸盤の中心にフックやアームなどのアタッチメントが連結されている。そのため、吸盤を相手方平滑面に押し付けて吸着させ、アタッチメントに小物類を引掛けて吊り下げたようなときには、吸盤の中心とアタッチメントとの連結箇所に小物類などの重量が負荷されてその連結箇所がぐらついてしまい、そのぐらつきによって吸盤と相手方平滑面との間に空気が入り込んで、吸盤が、相手方平滑面から剥がれやすくなったり脱落したりしてしまうことが多々あり、それほど大きな吊下げ荷重に耐え得るものではなかった。
【０００５】
また、従来の支持具は、上記した吸盤とアタッチメントとが、互いに取り外すことを予定していない一体部品として形成されていた。そのため、たとえば、小物類を吊り下げる用途に用いる支持具と石けんなどの置き台としての用途に用いる支持具とでは、吸盤が同じ形状・サイズであってもアタッチメントの形状や構造などが相違しているため、消費者にとっては用途に応じた別々の支持具を購入して使用しなければならない不便があった。
【０００６】
本考案は、以上の状況に鑑み、アタッチメントを相手方平滑面にぐらつきなく取り付けることが可能であり、しかも、きわめて大きな吊下げ荷重に耐え得るものでありながら、相手方平滑面に対するアタッチメントの着脱操作性に優れ、相手方平滑面から取り外しても装着跡が相手方平滑面に残りにくい密着型支持具を提供することを目的とする。また、本考案は、上記目的を達成した上で、消費者がアタッチメントだけを用途に応じて交換することを可能にして、消費者の不便を解消することのできる密着形支持具を提供することを目的とする。
【課題を解決するための手段】
【０００７】
本考案に係る密着型支持具は、相手方平滑面に脱気状態で重ね合わせることよってその平滑面に密着するシート体が裏面に固着され、かつ、そのシート体が周囲に張り出しているベース体と、このベース体に装着されるアタッチメントと、上記ベース体に上記アタッチメントを着脱するための着脱機構と、を備えている。そして、上記着脱機構が、ベース体及びアタッチメントのうちの一方側に設けられた突起と、他方側に設けられて上記突起に係脱される係合部と、を有する。
【０００８】
この構成を備えた密着型支持具では、着脱機構の作用によりベース体にアタッチメントを着脱することが可能である。そのため、用途の異なる複数のアタッチメントのそれぞれを、共通のベース体に着脱することが可能になる。したがって、消費者にとっては、アタッチメントだけを用途に応じて交換して使用することが可能になるという利便性がある。
【０００９】
また、この構成を備えた密着型支持具では、シート体を相手方平滑面に重ね合わせて両者の間の空気を抜き出しておくだけで相手方平滑面にシート体が重なり合って密着する。このときの相手方平滑面に対するシート体の密着状態は、シート体の端縁部を相手方平滑面からめくり上げることによってきわめて容易に解放することのできる状態になっている。そのため、シート体の端縁部を相手方平滑面からめくり上げるだけで当該支持具を相手方平滑面からきわめて容易に取り外すことが可能である。
【００１０】
その反面で、上記密着状態は、シート体の端縁部を除く中間部分を相手方平滑面から引き上げるだけでは容易に解放されない状態になっている。また、シート体が固着されているベース体に、相手方平滑面から引き上げる方向の外力が加わったり、相手方平滑面に密着しているシート体の表面に平行ないし沿う方向の外力が加わったりした場合などにおいても、シート体が相手方平滑面から容易に剥がれることはない。このため、ベース体に装着されたアタッチメントをその用途に供した場合などには、アタッチメントが、シート体を介して相手方平滑面に強固に取り付けられた状態となり、アタッチメントに大きな負荷が加わってもそのアタッチメントが相手方平滑面から脱落するという事態が起こりにくい。
【００１１】
また、ベース体の裏面がシート体に固着されていることにより、そのベース体の裏面が、シート体を介し、ベース体の裏面の広さに相当する面積をもって相手方平滑面に広い範囲で重なり合って相手方平滑面にぐらつきなく固定されることになる。したがって、この密着型支持具によると、アタッチメントが、ベース体を介して相手方平滑面にぐらつきなく取り付けされる。
【００１２】
さらに、相手方平滑面に対する取付け状態では相手方平滑面にシート体の裏面が脱気状態で重なり合っているだけである。そのため、粘着剤を用いてベース体を相手方平滑面に貼り付けたり、ピンなどを相手方平滑面に突き刺してベース体を相手方平滑面に固定したりするもののように相手方平滑面を汚したり傷付けたりするというおそれがなく、しかも、シート体を剥がした跡にシート体の重なり痕跡が残ることもない。
【００１３】
本考案に係る密着型支持具では、上記着脱機構の構成として種々の構造を採用することが可能である。たとえば、上記着脱機構において、上記突起がその外周に溝形の首部を有し、上記係合部が、上記首部に嵌脱される凹入部を有する板状片でなるという構成を採用することが可能である。また、上記着脱機構において、上記突起がその外周に溝形の首部を有し、上記係合部が、Ｕ字形に曲成されて上記首部に嵌脱可能な凹入部を有する成形線材でなるという構成を採用することも可能である。さらに、上記着脱機構において、上記突起が、その外周に溝形の首部とその首部の前側の鍔形部とを有する弾力性を備えた樹脂成形体でなり、上記係合部が、上記鍔形部を弾性変形させながら上記首部に挿抜される孔部を有する板状片でなるという構成を採用することも可能である。
【考案の効果】
【００１４】
以上のように、本考案の密着型支持具によれば、様々な用途に適したアタッチメントを適宜選択して共通のベース体に付け替えることが可能になるため、消費者にとっては用途に応じた別々の支持具を購入して使用しなければならないといった従来の不便が解消される。
【００１５】
また、本考案の密着型支持具によれば、アタッチメントをベース体を介して相手方平滑面にぐらつきなく取り付けることが可能になる。したがって、アタッチメントが浴場の壁面のような相手方平滑面にぐらつきなく取り付けられることが要求されるような皿形の石けん置きであったり小物の吊下げ具である場合にきわめて有益である。また、室内壁面やガラス面などの相手方平滑面に装着しておくと、小物類を吊り下げたりすることにも便利に使用することが可能になる。その上、相手方平滑面に密着したシート体は容易に剥がれ落ちることがないので、重さの重い物品を支持させることにも適する。さらに、相手方平滑面に対する着脱操作性に優れ、相手方平滑面から取り外した跡にシート体の重なり痕跡が残ることもないので、装着場所を変更したりするときの使い勝手にも優れる。
【図面の簡単な説明】
【００１６】
【図１】本考案に係る密着型支持具の分解斜視図である。
【図２】使用状態の縦断側面図である。
【図３】使用状態の平面図である。
【図４】皿形の置き台としての用途に適するアタッチメントをベース体に装着した事例を示した縦断側面図である。
【図５】着脱機構の構成及び作用を示した正面図である。
【図６】変形例による着脱機構の構成及び作用を示した正面図である。
【図７】他の変形例による着脱機構を採用した密着型支持具の分解斜視図である。
【図８】他の変形例による着脱機構の構成と作用を示した縦断側面図である。
【考案を実施するための形態】
【００１７】
図１は本考案の実施形態に係る密着型支持具Ａの分解斜視図、図２は使用状態の縦断側面図、図３は使用状態の平面図である。図１〜図３に示した密着型支持具Ａは、シート体２が裏面に固着されたベース体１と、ベース体１に装着されるアタッチメント３と、ベース体１にアタッチメント３を着脱するための着脱機構４とを備えている。
【００１８】
シート体２には塩化ビニル樹脂やその他の樹脂シートが採用されていて、この実施形態では、シート体２が、それほど腰の強くない柔軟性を備えている。図例のシート体２は略方形ないし矩形に形作られているけれども、シート体２の形状は、円形であっても、菱形であっても、その他の形状であってもよい。このようなシート体２は、タイル面やガラス面などの表面が平坦な相手方平滑面に裏面を脱気状態で重ね合わせるだけでその相手方平滑面から滑り落ちないように保持される特性を発揮する。すなわち、接着剤や突刺しピンなどの固定手段を別途用いることなく、相手方平滑面との間の空気を抜き出しておくだけでその相手方平滑面に密着状態になって、その相手方平滑面から滑り落ちないように保持される特性を発揮する。しかも、相手方平滑面とシート体２との間に空気が閉じ込められていない状態では、シート体２の全体が相手方平滑面に密着する特性を発揮する。しかし、そのような密着状態は、シート体２の端縁部の所定箇所を始点として相手方平滑面からめくり上げることによってきわめて容易に解放される。その反面で、上記密着状態は、シート体２の端縁部を除く中間部分を相手方平滑面から引き上げるだけでは容易に解放されることはない。シート体２のサイズは適切に選定されるべきであるけれども、サイズの大きなシート体２を相手方平滑面に密着させると、相手方平滑面に対する結合力がそのサイズに見合って増大することが判っている。なお、ここで採用されているシート体２の範疇には、極薄のフィルムが属することは勿論、それよりも肉厚のシート、たとえば厚さが１ｍｍ程度のシートも属しているものとする。
【００１９】
ベース体１はその平坦な裏面がシート体２の中央部に固着されている。そのため、シート体２がベース体１の周囲に張り出している。図例のベース体１の裏面は円形に形成されているけれども、ベース体１の裏面の形状は円形でなくてもよく、たとえば三角形や四角形であっても、それら以外の多角形であってもよい。ベース体１の裏面がシート体２の中央部に固着されていると、シート体２を相手方平滑面に密着させたときに、ベース体１の裏面がシート体２を介して相手方平滑面に重なり合うので、ベース体１が相手方平滑面にぐらつきなく固定されるようになる。
【００２０】
図例のアタッチメント３は、前板部３１の上辺部と側辺部とに連設された縁枠部３２を有していると共に、前板部３１の左右の下端部から前向きに延び出たアーム部３３，３３を有している。このアタッチメント３は、たとえば、左右のアーム部３３，３３を利用して仮想線で示したように「かみそり」１００を吊り下げるという用途に使用することができるほか、左右のアーム部３３，３３の上に歯ブラシなどの小物類を乗せ掛けておくという用途や、アーム部３３に小物類を吊り下げるという用途などに使用することが可能である。
【００２１】
図５には、図１〜図３に示した密着型支持具Ａに採用されている着脱機構４を正面図で示してある。同図の着脱機構４は、突起４１とこの突起４１に係脱される係合部４５とを備えている。突起４１は弾力性を有する樹脂で円柱状に成形されていて、その外周の軸方向中間部に溝形の首部４２を有し、この首部４２の先端側の溝壁部分が、首部４２よりもやゝ径大な鍔形部４３として形成されていると共に、当該首部４２の後端側の溝壁部分が上記したベース体１によって形成されている。
【００２２】
これに対し、突起４１の相手方部材である係合部４５は、板状片によって形成されていて、その板状片の一辺から他片に向けて凹入した凹入部４６を有する。この凹入部４６は、その上部輪郭線が上記した突起４１の首部４２の外周面と同一曲率の円弧状に形成されていると共に、上記板状片の下辺で開放された開放口部４７を備えていて、その開放口部４７の輪郭線が内側に膨らんだ形状に形成されている。したがって、開放口部４７はその開き幅が上記した首部４２の直径よりもやゝ短くなっている。
【００２３】
図１及び図２のように、この実施形態では、着脱機構４の突起４１がベース体１に樹脂で前向きに一体成形されているのに対し、着脱機構４の係合部４５がアタッチメント３の裏面側に樹脂で一体成形されていて、その係合部４５の凹入部４６が上向きに凹入している。
【００２４】
以上説明した密着型支持具Ａのベース体１を相手方平滑面Ｂに取り付けるときには、ベース体１の裏面に固着されているシート体２の裏面を相手方平滑面Ｂに重ね合わせて密着させる操作を行う。
【００２５】
シート体２の裏面を相手方平滑面Ｂに重ね合わせるだけでシート体２と相手方平滑面Ｂの間に空気が閉じ込められていない状態が得られたときには、その状態でシート体２が相手方平滑面Ｂに密着して強固な取付け状態が得られる。しかしながら、シート体２の裏面を相手方平滑面Ｂに重ね合わせるだけでは、シート体２と相手方平滑面Ｂの間に空気が閉じ込められてしまうこともある。この場合には、相手方平滑面Ｂに重なり合っているシート体２を手の指で上から押さえたり、シート体２を手の指で内側から外側へ向けて扱いたりして空気を外部へ押し出し、閉じ込められている空気残量をできるだけ少なくすればよく、そのようにするだけでシート体２が相手方平滑面Ｂに密着して強固な取付け状態が得られる。なお、図２及び図３には相手方平滑面Ｂが平坦面である場合を例示したけれども、相手方平滑面は球面や湾曲した面であっても同様である。
【００２６】
相手方平滑面Ｂにシート体２が密着している状態では、シート体２の端縁部の任意箇所を相手方平滑面Ｂからめくり上げることによってその密着状態をきわめて容易に解放することができる。したがって、シート体２を相手方平滑面Ｂから剥がし取るときには、シート体２の端縁部の任意箇所を相手方平滑面Ｂからめくり上げればよい。相手方平滑面Ｂにシート体２が密着している状態では相手方平滑面Ｂにシート体２が重なり合っているだけである。そのため、上記のようにしてシート体２を相手方平滑面Ｂから剥がした跡にシート体２の重なり痕跡が残って相手方平滑面Ｂが汚れているという事態は起こらない。
【００２７】
相手方平滑面Ｂとシート体２との密着状態は、シート体２の端縁部を除く中間部分を相手方平滑面Ｂから引き上げるだけでは容易に解放されない状態になっている。また、シート体２が固着されているベース体１に、相手方平滑面Ｂから引き上げる方向の外力が加わったり、相手方平滑面Ｂに密着しているシート体２の表面に平行ないし沿う方向の外力が加わったりした場合などにおいても、シート体２が相手方平滑面Ｂから容易に剥がれることはない。
【００２８】
次に、ベース体１にアタッチメント３を装着するときには、アタッチメント３をベース体１のやゝ上方部位に近付けた後、アタッチメント３を下方へスライドさせて着脱機構４の係合部４５をベース体１側の突起４１に係合させる。このような装着操作を行うと、図５に矢印Ｙで示したように、係合部４５に備わっている凹入部４６の開放口部４７が突起４１の首部４２を弾性的に縮径させながらその首部４２を乗り越えるので、凹入部４６の上部の円弧状の輪郭線が首部４２の外周上部に重なり合って、係合部４５が突起４１に係合する。係合部４５が突起４１に係合している状態では、突起４１の鍔形部４３が係合部４５の前方への脱落を防ぐことに役立ち、しかも、開き幅が首部４２の直径よりも短くなっている凹入部４６の開放口部４７が、突起４１からの係合部４５の上方への脱落を防ぐことに役立つ。また、係合部４５を形成している板状片が、突起４１の首部４２を形成している溝壁面によって挟圧される構成や、凹入部４６が首部４２を挟み付ける構成を採用しておけば、着脱機構４を介してアタッチメント３がベース体１にぐらつきなく取り付けられる。さらに、アタッチメント３の縁枠部３２の端面３５が、図２又は図３のように、相手方平滑面Ｂに密着しているシート体２に重なり合うようにしておくと、着脱機構４を介してアタッチメント３がベース体１にいっそうぐらつきなく取り付けられるようになる。このようなアタッチメント３の装着操作は、シート体２によってベース体１を相手方平滑面Ｂに取り付けた状態のまま行うことができる。
【００２９】
ベース体１からアタッチメント３を取り外すときには、アタッチメント３を引き上げて着脱機構４の係合部４５をベース体１側の突起４１から離脱させる。このような装着操作を行うと、係合部４５に備わっている凹入部４６の開放口部４７が突起４１の首部４２を弾性的に縮径させながらその首部４２を乗り越えて首部４２から離脱する。このようなアタッチメント３の取り外し操作は、シート体２によってベース体１を相手方平滑面Ｂに取り付けた状態のまま行うことができる。
【００３０】
以上説明したように、図１に示した密着型支持具Ａにおいて、アタッチメント３は、シート体２によってベース体１を相手方平滑面Ｂに取り付けた状態のまま、そのベース体１に対して着脱することが可能である。したがって、同様の構成の着脱機構４を備えた他の用途に適するアタッチメントを、図１又は図２に示したベース体１に着脱することも可能である。図４には、皿形の置き台としての用途に適するアタッチメント３を、図１又は図２に示したベース体１に装着した事例を縦断側面図で示してある。
【００３１】
図４に示したアタッチメント３は、図２及び図３に示したアタッチメント３のアーム部３３，３３を皿形の置き台３６に変更したものである。その他の構成は図２及び図３に示したアタッチメント３と同様であるので、同一部分に同一符号を付してそれらの構成や作用についての詳細な説明を省略する。図４に示したアタッチメント３を、ベース体１に装着したりベース体１から取り外したりする操作は着脱機構４を介して行われる。そして、その着脱のために行われる操作手順も上記したところと同様である。図４のアタッチメント３のように皿形の置き台３６を備えていると、その置き台３６に石けんやその他の小物類２００を置いておくことが可能になる。
【００３２】
図１〜図３ではアタッチメント３が左右のアーム部３３，３３を有し、図４ではアタッチメント３が皿形の置き台３６を有しているけれども、アタッチメント３が引掛け用フックや歯ブラシを吊り下げて保管するための歯ブラシケースといった他の要素を有していてもよい。すなわち、アタッチメント３が上記した着脱機構４の係合部４５を有しておりさえすれば、種々の用途に適する複数のアタッチメント３から選択したものを、共通のベース体１に着脱することができる。そのため、消費者がアタッチメント３だけを用途に応じて交換することが可能になる。
【００３３】
上記実施形態では、着脱機構４の突起４１がベース体１に設けられ、着脱機構４の係合部４５がアタッチメント３に設けられているけれども、この点は、突起４１をアタッチメントに設け、係合部４５をベース体に設けておいてもよい。
【００３４】
図６は変形例による着脱機構５の構成とその作用を示している。同図の着脱機構５は、突起５１と、所定形状に曲成された成形線材でなる係合部５５とを有している。そして、突起５１は、図５に示した突起４１と同様の構成を有している。すなわち、突起５１は弾力性を有する樹脂で円柱状に成形されていて、その外周の軸方向中間部に溝形の首部５２を有し、この首部５２の先端側の溝壁部分が、首部５２よりもやゝ径大な鍔形部５３として形成されていると共に、当該首部５２の後端側の溝壁部分が上記したベース体１によって形成されている。
【００３５】
これに対し、係合部５５は、１本の線材を所定形状に折り曲げることにより形成された成形線材でなる。係合部５５を形成している成形線材には、Ｕ字形に曲成された凹入部５６が備わり、この凹入部５６の両端部に脚状部分５７が曲成されている。そして、この脚状部分５７に一定の対策が講じられる。ここで、「一定の対策」とは、脚状部分５７をＵ字形に折り曲げて置き台などとして利用することのできるアタッチメントとして形成したり、あるいは、脚状部分５７に、仮想線で示したように樹脂でフックや置き台、その他の用途に適する構成を備えたアタッチメント３を射出成形したりする対策のことである。この構成を備える係合部５５において、Ｕ字形に曲成された凹入部５６の内幅は、突起５１の首部５２の直径よりもやゝ短くなっている。
【００３６】
ベース体１にアタッチメント３を装着するときには、アタッチメント３をベース体１に近付けた後、アタッチメント３を下方へスライドさせて着脱機構５の係合部５５をベース体１側の突起５１に係合させる。このような装着操作を行うと、図６に矢印Ｙで示したように、係合部５５に備わっている凹入部５６が突起５１の首部５２に嵌まり込むので、係合部５５が突起５１に係合する。係合部５５が突起５１に係合している状態では、突起５１の鍔形部５３が係合部５５の前方への脱落を防ぐことに役立つ。また、首部５２に嵌まり込んだ凹入部５６が、突起５１の首部５２を形成している溝壁面によって挟圧される構成や、凹入部５６が首部５２を挟み付ける構成を採用しておけば、着脱機構５を介してアタッチメント３がベース体１にぐらつきなく取り付けられる。このようなアタッチメント３の装着操作は、ベース体１に固着されているシート体２（図６では不図示）によってベース体１を相手方平滑面Ｂに取り付けた状態のまま行うことができる。
【００３７】
ベース体１からアタッチメント３を取り外すときには、アタッチメント３を引き上げて着脱機構５の係合部５５をベース体１側の突起５１から離脱させる。このようなアタッチメント３の取り外し操作は、シート体２によってベース体１を相手方平滑面Ｂに取り付けた状態のまま行うことができる。
【００３８】
以上説明した着脱機構５においても、他の用途に適するアタッチメントに係合部５５を具備させておけば、複数のアタッチメント３のうちの１つを、それらに共通のベース体１に適宜選択して取り付けることが可能になる。
【００３９】
図７は他の変形例による着脱機構６を採用した密着型支持具Ａの分解斜視図、図８は同変形例による着脱機構６の構成と作用を示した縦断側面図である。図８のように、この着脱機構６は、突起６１と、板状片によって形成された係合部６５とを有している。そして、突起６１は、図５に示した突起４１と同様の構成を有している。すなわち、突起６１は弾力性を有する樹脂で円柱状に成形されていて、その外周の軸方向中間部に溝形の首部６２を有し、この首部６２の先端側の溝壁部分が、首部６２よりもやゝ径大な鍔形部６３として形成されていると共に、当該首部６２の後端側の溝壁部分が上記したベース体１によって形成されている。
【００４０】
これに対し、板状片によって形成されている係合部６５には孔部６６が備わっている。そして、係合部６５の孔部６６を突起６１の鍔形部６３に矢印Ｘのように押し込むと、係合部６５が鍔形部６３を弾性変形させながらその鍔形部６３を乗り越えて首部６２に挿入されるので、係合部６５が突起６１に係合する。また、首部６２に挿入されている係合部６５を前方へ引っ張ると、係合部６５が鍔形部６３を弾性変形させながらその鍔形部６３を乗り越えて突起６１から引き抜かれる。
【００４１】
図７において、着脱機構６の突起６１が設けられているベース体１はその平坦な裏面がシート体２の中央部に固着されていて、シート体２がベース体１の周囲に張り出している。また、アタッチメント３には、着脱機構６の係合部６５が設けられている。このアタッチメント３自体の構成は、図１に示したアタッチメント３と同様である。したがって、左右のアーム部３３を有している。
【００４２】
以上説明した密着型支持具Ａにおいて、ベース体１にアタッチメント３を装着するときには、アタッチメント３に近付けた後、着脱機構６の係合部６５をベース体１側の突起６１に係合させる。このような装着操作を行うと、図５を参照して説明したように、係合部６５の孔部６６が突起６１の首部６２に嵌まり込んで、係合部６５が突起６１に係合する。係合部６５が突起６１に係合している状態では、突起６１の鍔形部６３が係合部６５の前方への脱落を防ぐことに役立つ。また、係合部６５を形成している板状片が、突起６１の首部６２を形成している溝壁面によって挟圧される構成を採用しておけば、着脱機構６を介してアタッチメント３がベース体１にぐらつきなく取り付けられる。このようなアタッチメント３の装着操作は、シート体２によってベース体１を相手方平滑面Ｂに取り付けた状態のまま行うことができる。
【００４３】
ベース体１からアタッチメント３を取り外すときには、アタッチメント３を前方へ引張って着脱機構６の係合部６５をベース体１側の突起６１から離脱させる。このようなアタッチメント３の取り外し操作は、シート体２によってベース体１を相手方平滑面Ｂに取り付けた状態のまま行うことができる。その他の構成及び作用は、図１〜図３を参照して説明したところと同様である。
【符号の説明】
【００４４】
Ａ  密着型支持具
Ｂ  相手方平滑面
１  ベース体
２  シート体
３  アタッチメント
４，５，６  着脱機構
４１，５１，６１  突起
４２，５２，６２  首部
４５，５５，６５  係合部
４６，５６  凹入部
６６  孔部
【図１】
0003160125.tif 000003
【図２】
0003160125.tif 000004
【図３】
0003160125.tif 000005
【図４】
0003160125.tif 000006
【図５】
0003160125.tif 000007
【図６】
0003160125.tif 000008
【図７】
0003160125.tif 000009
【図８】
0003160125.tif 000010